(57)【要約】      （修正有）【課題】電子メールと電子化した宝くじを組み合わせることで、季節の挨拶、私ごとの連絡、電報（主に祝電）、企業から個人へのＤＭなど、物流を伴わない情報だけの伝達手段に電子メールを活用して不要な物流を削減し、同時に、宝くじの販売コストを削減し賞金充当率（賞金総額／販売総額）を高め、新しいビジネスモデルを創出する。【解決手段】１）見て楽しいマルチメディア化されたメールを簡単に作成できるよう、テンプレートを用意し、それを活用することにより誰でも簡単に作成できるようにする。２）マルチメディアメールの活用促進のため、電子化宝くじ付とし、送っても送られても宝くじの楽しみが付いてくるものとする。３）電子化した特性（即時性、加工柔軟性など）を生かし、従来にないスリリングな宝くじを実現し、購入者が今迄以上におもしろい宝くじにする。【選択図】図１
2005122674.tif 000002
【特許請求の範囲】
【請求項１】
電子メールと宝くじを組み合わせた新しい仕組み。
電子メール利用において、誰でもが簡単にウェブメール（マルチメディアメール）を作成できるようテンプレートを用意し、その利用促進を図るため、電子化した宝くじと組み合わせた仕組み。
【請求項２】
請求項目１を実現するための、宝くじを電子化する仕組み。
電子メール１通ごとに宝くじ番号を付け、宝くじ付マルチメディアメールとして販売する仕組み。
【発明の詳細な説明】
【技術分野】本発明は宝くじを電子化し、さらにその宝くじとウェブメールを組み合わせることにより、新しいビジネスモデルを創出するものです。
【背景技術】インターネット接続環境のブロードバンド化と、利用者側の周辺環境ならびにスキルの向上
【インターネット接続環境のブロードバンド化】
（１）インターネット接続環境のブロードバンド化が急速に進展し、ウェブメールを送受信できる環境が現出
【利用者の周辺環境ならびにスキルの向上】
（１）コンテンツを取り扱うデジタルカメラ・ビデオの普及
（２）パソコンが幅広く普及し、通常にパソコンを活用できる層の拡大
（３）年賀状作成ソフトが一般化し、利用者側のスキル向上
【発明の開示】
【発明が解決しようとする課題】（１）物品の伴わない情報だけの流通について、電子メールの活用を促進する仕組みの提供。
（２）宝くじを電子化することにより、新しい宝くじの仕組みの提供
（３）上記（１）と（２）を組み合わせ、新しいビジネスモデルの創出
【課題を解決するための手段】（１）作って楽しい見て楽しいメール（ウェブメール＝マルチメディアメール）を、だれでもが簡単につくることができるツール（テンプレート）を提供。
（２）宝くじを電子化する。
（３）上記メールと宝くじを組み合わせ、インターネット経由で販売する。
【発明の効果】（１）物流による情報（手紙・はがき・電報など）の流通を減少させ、インターネットでの情報流通を促進する。本来不要な物流（コンテンツが情報だけのもの）を削減し、効果的な情報流通を増大させる。
（２）宝くじ運用のコストを大幅に削減させ、賞金充当率（賞金総額／販売総額）を高めることができる。
（３）宝くじを電子化することにより、新しい宝くじの仕組みを作り、購入者の楽しみを増大させる。
【発明を実施するための最良の形態】現在は、郵便、電報、宝くじを別々に提供しているが、この機能をまとめて１社が提供。
【実施例】
【マルチメディアメールのテンプレートの提供と作成】
（１）提供会社が、マルチメディアに対応したテンプレートを用意し、宝くじ番号と共に、インターネット経由で送信者に販売する。
（２）送信者は購入したテンプレート上に独自のコンテンツを貼り付け、メールを完成しメールを送信する。
季節の挨拶状（年賀状、暑中見舞いなど）、個人的な通知連絡（結婚式の案内や祝電、大学などの入学報告とお祝い、転居通知やお礼状など）、企業などからの広告宣伝（ダイレクトメールなど）が、本メール利用となる。
【宝くじの電子化】
（１）宝くじを電子化することにより販売コストが下がり、賞金充当率（賞金総額／販売総額）を大幅に高めることができる。
（２）新しい宝くじの仕組み（従来とは異なる宝くじの仕組み）
１．賞金総額の決定
賞金額を販売枚数に比例した金額とする
宝くじ付電子メールを１番号１００円程度（参考数字）で販売し、
賞金総額（ｂ）＝販売総数（ａ）×単価×７５％（２５％相当を経費とする）
２．各等賞金の決定
１等賞金（ｃ）＝賞金総額（ｂ）の半分／当選組数
２等賞金（ｄ）＝（ｂ−ｃ）の半分／当選組数
３等賞金（ｅ）＝（ｂ−ｃ−ｄ）の半分／当選組数
４等以降も同様の方法で各等の賞金を決め、最低賞金２，０００円程度（参考数字）を当選者とする。
次ページ
【表１】
2005122674.tif 000003
賞金モデル
３．事前に賞金額を開示する仕組み
販売期間中、随時各等の賞金額をホームページ（オッズ）に掲載し、購入者ならびに購入希望者は、ホームページで確認することができる。
４．メール送受信者が、当選者となる
電子メール発信者ならびに受信者が当選対象者となる。
５．賞金の配分
電子メール発信者ならびに受信者が賞金当選者となるが、その分配率を発信者が発信時に宝くじ番号ごとに決め、当選時にはその分配率によって賞金が配分される。数種の比率で配分することができる。
＜配分率＞
発信者：受信者＝６：４、５：５、４：６の３パターン程度用意する。
６．当選者への通知
当選者に対しメールで当選を通知。当選番号とメールアドレスをキーに認証し、不正を排除する。
【産業上の利用の可能性】
送信する内容が、情報だけの郵便や電報が、この仕組みを活用することにより、マルチメディアメールへ進化する。
【図面の簡単な説明】
【図１】本システム全体の機能概要
【図２】ビジネスモデル実現のシステムと運用の概略
【図３】マルチメディアメールのサンプル
【図１】
2005122674.tif 000004
【図２】
2005122674.tif 000005
2005122674.tif 000006
【図３】
2005122674.tif 000007
【手続補正書】
【提出日】平成16年1月20日(2004.1.20)
【手続補正２】
【補正対象書類名】明細書
【補正対象項目名】全文
【補正方法】変更
【補正の内容】
【発明の詳細な説明】
【技術分野】本発明は宝くじを電子化し、さらにその宝くじとウェブメールを組み合わせることにより、新しいビジネスモデルを創出するものです。
【背景技術】インターネット接続環境のブロードバンド化と、利用者側の周辺環境ならびにスキルの向上
【インターネット接続環境のブロードバンド化】
（１）インターネット接続環境のブロードバンド化が急速に進展し、ウェブメールを送受信できる環境が現出
【利用者の周辺環境ならびにスキルの向上】
（１）コンテンツを取り扱うデジタルカメラ・ビデオの普及
（２）パソコンが幅広く普及し、通常にパソコンを活用できる層の拡大
（３）年賀状作成ソフトが一般化し、利用者側のスキル向上
【発明の開示】
【発明が解決しようとする課題】（１）物品の伴わない情報だけの流通について、電子メールの活用を促進する仕組みの提供。
（２）宝くじを電子化することにより、新しい宝くじの仕組みの提供
（３）上記（１）と（２）を組み合わせ、新しいビジネスモデルの創出
【課題を解決するための手段】（１）作って楽しい見て楽しいメール（ウェブメール＝マルチメディアメール）を、だれでもが簡単につくることができるツール（テンプレート）を提供。
（２）宝くじを電子化する。
（３）上記メールと宝くじを組み合わせ、インターネット経由で販売する。
【発明の効果】（１）物流による情報（手紙・はがき・電報など）の流通を減少させ、インターネットでの情報流通を促進する。本来不要な物流（コンテンツが情報だけのもの）を削減し、効果的な情報流通を増大させる。
（２）宝くじ運用のコストを大幅に削減させ、賞金充当率（賞金総額／販売総額）を高めることができる。
（３）宝くじを電子化することにより、新しい宝くじの仕組みを作り、購入者の楽しみを増大させる。
【発明を実施するための最良の形態】現在は、郵便、電報、宝くじを別々に提供しているが、この機能をまとめて１社が提供。
【実施例】
【マルチメディアメールのテンプレートの提供と作成】
（１）提供会社が、マルチメディアに対応したテンプレートを用意し、宝くじ番号と共に、インターネット経由で送信者に販売する。
（２）送信者は購入したテンプレート上に独自のコンテンツを貼り付け、メールを完成しメールを送信する。
季節の挨拶状（年賀状、暑中見舞いなど）、個人的な通知連絡（結婚式の案内や祝電、大学などの入学報告とお祝い、転居通知やお礼状など）、企業などからの広告宣伝（ダイレクトメールなど）が、本メール利用となる。
【宝くじの電子化】
（１）宝くじを電子化することにより販売コストが下がり、賞金充当率（賞金総額／販売総額）を大幅に高めることができる。
（２）新しい宝くじの仕組み（従来とは異なる宝くじの仕組み）
１．賞金総額の決定
賞金額を販売枚数に比例した金額とする
宝くじ付電子メールを１番号１００円程度（参考数字）で販売し、
賞金総額（ｂ）＝販売総数（ａ）×単価×７５％（２５％相当を経費とする）
２．各等賞金の決定
１等賞金（ｃ）＝賞金総額（ｂ）の半分／当選組数
２等賞金（ｄ）＝（ｂ−ｃ）の半分／当選組数
３等賞金（ｅ）＝（ｂ−ｃ−ｄ）の半分／当選組数
４等以降も同様の方法で各等の賞金を決め、最低賞金２，０００円程度（参考数字）を当選者とする。
【表１】
2005122674.tif 000008
上記１．２．に基づく賞金モデル
３．事前に賞金額を開示する仕組み
販売期間中、随時各等の賞金額をホームページ（オッズ）に掲載し、購入者ならびに購入希望者は、ホームページで確認することができる。
４．メール送受信者が、当選者となる
電子メール発信者ならびに受信者が当選対象者となる。
５．賞金の配分
電子メール発信者ならびに受信者が賞金当選者となるが、その分配率を発信者が発信時に宝くじ番号ごとに決め、当選時にはその分配率によって賞金が配分される。数種の比率で配分することができる。
＜配分率＞
発信者：受信者＝６：４、５：５、４：６の３パターン程度用意する。
６．当選者への通知
当選者に対しメールで当選を通知。当選番号とメールアドレスをキーに認証し、不正を排除する。
【運用手順】
【表２】
2005122674.tif 000009
上記実施例の運用手順
【産業上の利用の可能性】
送信する内容が、情報だけの郵便や電報が、この仕組みを活用することにより、マルチメディアメールへ進化する。
【図面の簡単な説明】
【図１】本システム全体の機能概要
【図２】ビジネスモデル実現のシステムと運用の概略
【図３】マルチメディアメールのサンプル
【手続補正３】
【補正対象書類名】図面
【補正対象項目名】全図
【補正方法】変更
【補正の内容】
【図１】
2005122674.tif 000010
【図２】
2005122674.tif 000011
【図３】
2005122674.tif 000012